(57)【要約】【課題】エラーの発生した映像データを補正してしまうためにエラーの部分と正常な部分の区別が付きにくくなる可能性や、本来の映像とは異なるものになる可能性が増えるため、映像データによって正確な判断ができなくなってしまう。【解決手段】映像データ解析部１０７とエラー表示追加部を設け、エラー表示追加部１１０が、映像データ解析部１０７でエラーを検出した映像フレームのデータに対して、エラーが含まれていることを示すエラー表示を追加する。【選択図】図１
2010225234.tif 000002
【特許請求の範囲】
【請求項１】
映像データを再生する映像再生装置であって、再生する映像データを入力する映像データ入力部と、前記映像データ入力部より入力された映像データを格納する入力データ格納部と、前記映像データ入力部より入力された映像データの再生操作命令を受ける再生操作入力部と、前記再生操作入力部が受けた操作命令に従って再生制御を行う再生制御部と、前記再生制御部より受けた再生制御命令に従って，前記入力データ格納部に格納された映像データを解析する映像データ解析部と、前記映像データ解析部の結果に従って，前記入力データ格納部に格納された映像データを復号化する映像データ復号化部と、前記映像データ復号化部で復号化された映像データを格納する出力データ格納部と、前記出力データ格納部に格納された復号済みデータにエラー表示のデータを追加・変更するエラー表示追加部と、前記出力データ格納部に格納された復号済みデータを映像信号化し外部へ出力する映像信号出力部と、を備え、
前記映像データ解析部は、映像フレームのエラーの有無を解析し、この映像フレームにエラーを検知した場合は、この検知したエラー情報を前記エラー表示追加部に通知し、この前記エラー表示追加部は、前記エラーが検知された映像フレームの復号済みデータが前記出力データ格納部に格納されたとき、前記映像フレームの復号済みデータに対して、エラーが含まれていることを示すエラー表示のデータを追加・変更する映像再生装置。
【請求項２】
映像データを再生する映像再生装置であって、再生する映像データを入力する映像データ入力部と、前記映像データ入力部より入力された映像データを格納する入力データ格納部と、前記映像データ入力部より入力された映像データの再生操作命令を受ける再生操作入力部と、前記再生操作入力部が受けた操作命令に従って再生制御を行う再生制御部と、前記再生制御部より受けた再生制御命令に従って，前記入力データ格納部に格納された映像データを解析する映像データ解析部と、前記映像データ解析部の結果に従って，前記入力データ格納部に格納された映像データを復号化する映像データ復号化部と、前記映像データ復号化部で復号化された映像データを格納する出力データ格納部と、前記出力データ格納部に格納された復号済みデータにエラー表示のデータを追加・変更するエラー表示追加部と、前記出力データ格納部に格納された復号済みデータを映像信号化し外部へ出力する映像信号出力部と、操作者が指定した表示画面上の位置を検出し、検出した指定位置情報を指定範囲特定部に通知する画面位置入力部と、前記画面位置入力部より通知された指定位置情報をもとに指定範囲を特定し、特定した範囲を前記映像データ解析部に通知する指定範囲特定部と、を備え、
前記映像データ解析部は、映像フレームの前記指定範囲特定部より通知された指定範囲内からエラーの有無を解析し、この映像フレームにエラーを検知した場合は、この検知したエラー情報を前記エラー表示追加部に通知し、
この前記エラー表示追加部は、前記エラーが検知された映像フレームの復号済みデータが前記出力データ格納部に格納されたとき、前記映像フレームの復号済みデータに対して、エラーが含まれていることを示すエラー表示のデータを追加・変更する映像再生装置。
【請求項３】
前記エラー表示のデータは、前記再生操作入力部が受けた操作命令による再生状態によって変更することを特徴とする請求項１または請求項２に記載の映像再生装置。
【請求項４】
前記指定範囲特定部より通知された指定範囲は、任意の曲線で囲むように指定するとした請求項２に記載の映像再生装置。
【請求項５】
前記エラー表示追加部より表示されるエラー表示は、所定以上のフレームに渡って連続してエラーが発生した場合にエラー表示を行う請求項２から４のいずれかに記載の映像再生装置。
【発明の詳細な説明】
【技術分野】
【０００１】
本発明は、デジタル化された映像データを再生する映像再生装置に関するものである。
【背景技術】
【０００２】
映像再生装置には、再生する映像データのエラーを検知し、そのエラーを補正する機能をもったものがあった。
【０００３】
このような従来の映像再生装置の構成は、以下のような構成となっていた。
【０００４】
すなわち、再生する映像データを入力する映像データ入力部と、前記映像データ入力部より入力された映像データを格納する入力データ格納部と、前記映像データ入力部より入力された映像データの再生操作命令を受ける再生操作入力部と、前記再生操作入力部が受けた操作命令に従って再生制御を行う再生制御部と、前記再生制御部より受けた再生制御命令に従って，前記入力データ格納部に格納された映像データを解析する映像データ解析部と、前記映像データ解析部の結果に従って，前記入力データ格納部に格納された映像データを補正する映像データ補正部と、前記入力データ格納部に格納された映像データを復号化する映像データ復号化部と、前記映像データ復号化部で復号化された映像データを格納する出力データ格納部と、前記出力データ格納部に格納された復号済みデータを映像信号化し外部へ出力する映像信号出力部と、を備えるものであった。
【０００５】
エラーのあった映像データを補正する映像再生装置の中には、映像データのブロックノイズの検出と補正を行うものがあった（例えば下記特許文献１）。
【０００６】
また、エラーのあった映像データの復号化時に高速に画質を改善するフィルターを備えたものもあった（例えば下記特許文献２）。
【特許文献１】特開平１０−２７６４３３号公報
【特許文献２】特開２００３−１１６１３４号公報
【発明の開示】
【発明が解決しようとする課題】
【０００７】
前記従来例における課題は、映像データによって正確な判断ができないことであった。
【０００８】
すなわち上記従来例においては、エラーの発生した映像データを補正してしまうために、映像データによって正確な判断ができなくなってしまうのであった。
【０００９】
そこで本発明は、映像データによって正確な判断ができるようにすることを目的とするものである。
【００１０】
例えば、医療分野においては、検査、診断において、映像を見て判断をするが、この映像データにエラーがあった場合に、このエラーを補正してしまうと、本来見たかった映像を見ることができなくなる場合があり、映像データによって正確な判断ができなくなる場合があった。
【課題を解決するための手段】
【００１１】
そしてこの目的を達成するために本発明は、
再生する映像データを入力する映像データ入力部と、前記映像データ入力部より入力された映像データを格納する入力データ格納部と、前記映像データ入力部より入力された映像データの再生操作命令を受ける再生操作入力部と、前記再生操作入力部が受けた操作命令に従って再生制御を行う再生制御部と、前記再生制御部より受けた再生制御命令に従って，前記入力データ格納部に格納された映像データを解析する映像データ解析部と、前記映像データ解析部の結果に従って，前記入力データ格納部に格納された映像データを復号化する映像データ復号化部と、前記映像データ復号化部で復号化された映像データを格納する出力データ格納部と、前記出力データ格納部に格納された復号済みデータにエラー表示のデータを追加・変更するエラー表示追加部と、前記出力データ格納部に格納された復号済みデータを映像信号化し外部へ出力する映像信号出力部と、を備え、前記映像データ解析部は、映像フレームのエラーの有無を解析し、この映像フレームにエラーを検知した場合は、この検知したエラー情報を前記エラー表示追加部に通知し、この前記エラー表示追加部は，前記エラーが検知された映像フレームの復号済みデータが前記出力データ格納部に格納されたとき、前記映像フレームの復号済みデータに対して、エラーが含まれていることを示すエラー表示のデータを追加・変更することを特徴としたものである。
【００１２】
また、本発明は、再生する映像データを入力する映像データ入力部と、前記映像データ入力部より入力された映像データを格納する入力データ格納部と、前記映像データ入力部より入力された映像データの再生操作命令を受ける再生操作入力部と、前記再生操作入力部が受けた操作命令に従って再生制御を行う再生制御部と、前記再生制御部より受けた再生制御命令に従って，前記入力データ格納部に格納された映像データを解析する映像データ解析部と、前記映像データ解析部の結果に従って，前記入力データ格納部に格納された映像データを復号化する映像データ復号化部と、前記映像データ復号化部で復号化された映像データを格納する出力データ格納部と、前記出力データ格納部に格納された復号済みデータにエラー表示のデータを追加・変更するエラー表示追加部と、前記出力データ格納部に格納された復号済みデータを映像信号化し外部へ出力する映像信号出力部と、操作者が指定した表示画面上の位置を検出し、検出した指定位置情報を指定範囲特定部に通知する画面位置入力部と、前記画面位置入力部より通知された指定位置情報をもとに指定範囲を特定し、特定した範囲を前記映像データ解析部に通知する指定範囲特定部と、を備え、
前記映像データ解析部は、映像フレームの前記指定範囲特定部より通知された指定範囲内からエラーの有無を解析し、この映像フレームにエラーを検知した場合は、この検知したエラー情報を前記エラー表示追加部に通知し、この前記エラー表示追加部は、前記エラーが検知された映像フレームの復号済みデータが前記出力データ格納部に格納されたとき、前記映像フレームの復号済みデータに対して、エラーが含まれていることを示すエラー表示のデータを追加・変更することを特徴とするものである。
【００１３】
ここで、前記エラー表示のデータは、前記再生操作入力部が受けた操作命令による再生状態によって変更してもよい。
【発明の効果】
【００１４】
以上のように本発明は、
再生する映像データを入力する映像データ入力部と、前記映像データ入力部より入力された映像データを格納する入力データ格納部と、前記映像データ入力部より入力された映像データの再生操作命令を受ける再生操作入力部と、前記再生操作入力部が受けた操作命令に従って再生制御を行う再生制御部と、前記再生制御部より受けた再生制御命令に従って，前記入力データ格納部に格納された映像データを解析する映像データ解析部と、前記映像データ解析部の結果に従って，前記入力データ格納部に格納された映像データを復号化する映像データ復号化部と、前記映像データ復号化部で復号化された映像データを格納する出力データ格納部と、前記出力データ格納部に格納された復号済みデータにエラー表示のデータを追加・変更するエラー表示追加部と、前記出力データ格納部に格納された復号済みデータを映像信号化し外部へ出力する映像信号出力部と、を備え、前記映像データ解析部は、映像フレームのエラーの有無を解析し、この映像フレームにエラーを検知した場合は、この検知したエラー情報を前記エラー表示追加部に通知し、この前記エラー表示追加部は，前記エラーが検知された映像フレームの復号済みデータが前記出力データ格納部に格納されたとき，前記映像フレームの復号済みデータに対して，エラーが含まれていることを示すエラー表示のデータを追加・変更するものであるので、映像データによって正確な判断ができるようにものである。
【００１５】
すなわち本発明においては、エラーがある映像情報を補正しないで表示し、エラーが発生している映像箇所を、視聴者が容易に認識できるように通知することができるので、映像データによって正確な判断ができるようにものである。
【００１６】
例えば、医療分野で、映像を見て検査、診断する場合においても、医者に対して検査、診断に使う映像にエラーがあるかどうかを通知し、さらには、エラーがある場合にどの箇所にエラーが発生しているかを通知することができるので、医者は正確に検査、診断結果を判断することができる。
【発明を実施するための最良の形態】
【００１７】
（実施の形態１）
以下、本発明の一実施形態を、映像再生装置を使用した一例として、医療画像データによる診断のときに使用される再生装置に適用した物を、添付図面を用いて説明する。
【００１８】
図１は、本発明の実施の形態における映像再生装置を使用した構成図である。図１において、再生操作入力部１０１は、機能別に配置された釦等で構成されており、診断者が押した再生、一時停止等の釦の入力を受け付け、その操作入力に従った操作命令を再生制御部１０２に通知する。再生制御部１０２は、再生操作入力部１０１より通知された操作命令に従って、再生対象となる映像データを読み取る命令をＤＶＤドライブ１０４に要求するとともに、受け取った操作命令に従った再生制御命令を映像データ解析部１０７に送る。ＤＶＤディスク１０３には、診断のために再生する映像データが記録されており、本実施の形態では、DVDディスク１０３に記録されている映像データを、ＮＴＳＣ方式で撮影し、MPEG2プログラム ストリーム（以降、MPEG2 PSと称す）で符号化・多重化したものとする。
【００１９】
ここで、MPEG2 PSについて図２から図５を用いて説明する。図２は、Video Object（以降、VOBと称す）の構成を示している。
【００２０】
図２において、２０１は、一つの撮影シーンの映像データを示しており、本実施例では、一つのＶＯＢから構成される。  ２０２は、一つのＶＯＢの構成を示しており、複数のVideo Object Unit（以降、VOBUと称す）から構成されている。
【００２１】
２０３は、一つのＶＯＢＵの構成を示しており、複数のPackから構成される。VR規格では、一つのPackのサイズは、２Ｋバイトに定義されている。２０４及び２０５は、一つのPackの構成を示しており、２０４は、ＶＯＢＵ内で映像データを格納した先頭のPackであり、Pack header２０６、Stream header２０７、Packet header２０８及びVideo Data２０９で構成され、１０５は、先頭以外の映像データを含んだPackであり、Pack header２０６、Packet header２０８及びVideo Data２０９で構成されている。２１０は、Pack headerの構成を示しており、Pack_start_code２１１、SCR２１２といったデータで構成されており、Pack_start_code２１１は、そのPackの識別情報が記され、SCR２１２にはシステム時刻基準参照値が記されており、復号時における時刻基準となる値を設定するための情報である。
【００２２】
図３は、Video Data２０８の階層構造を記している。図３において上位層から、３０１はシーケンス層、３０２はGOP層、３０３はピクチャー層、３０４はスライス層、３０５マクロブロック層、３０６はブロック層である。 スライス層３０４は、画面の左から右、上から下方向に並んだマクロブロックから構成されている。３０７は、ＮＴＳＣの場合のピクチャー層のマクロブロックの構成を示しており、マクロブロックは１６×１６画素を構成し、ピクチャー層は７０４×４８０画素の画面を対象としている。従って、ピクチャー層は、４４×３０個のマクロブロックから構成される。マクロブロックには、マクロブロックの位置や符号化の種類、参照しているピクチャー内のマクロブロック位置を表す動きベクトルなどの情報も格納されている。また、再生時には、毎秒３０の画面をインターリーブ表示しており、この一画面を画像フレームという。
【００２３】
図４は、GOP層３０２を構成するピクチャーの種類とその関連を示している。図４において、４０１はＩピクチャーの関連を示しており、Ｉピクチャーとは、Intra符号化画像の略で、１つの画像フレームを、フレーム間予測を使わず符号化されたものである。よって、一つのＩピクチャーで一つの画像フレームを表示することができる。４０２は、Ｐピクチャーの関連を示しており、Ｐピクチャーは、Predictive符号化画像の略で、直前のＩピクチャーまたはPピクチャーからの順方向の動き補償予測を用いて符号化されたものである。４０３は、Ｂピクチャーの関連を示しており、Ｂピクチャーは、Bidirectionally predictive符号化画像の略で、前後のＩピクチャーまたはＢピクチャーからの双方向の動き補償予測を用いて符号化されたものである。よって、ＰピクチャーとＢピクチャーは、関連する他のピクチャーにエラーが存在すると、その画像フレームが正常に表示できないことになる。
【００２４】
図５は、復号化するピクチャーの順序と、表示ピクチャーの順序を示している。図５において、５０１は、復号化するピクチャーの順序であり、５０２は、表示画面の順序である。このように、Ｐピクチャーは、双方向の動き補償予測を用いているため、復号化の順序が元の画像フレームの順序と異なる。また、ＤＶＤディスク１０３には、複合化の順番５０１と同じ順序で記録されている。
【００２５】
次に、ＤＶＤドライブ１０４は、再生制御部１０２より通知された読み込み命令に従って、ＤＶＤディスク１０３の記録データを読み取り、読み取ったデータを映像データ入力部１０５に転送する。なお、ＤＶＤドライブ１０４には、データ読み取り時のエラー訂正機能が搭載されており、読み取り時に訂正エラーが発生した場合、対象となるブロックのデータが正常に読み取れないことになる。エラー訂正単位は１６論理ブロックであり、ＤＶＤドライブ１０４は、記録されている映像データの読み込みで訂正エラーが発生した場合、全ての値が０としたデータを映像データ入力部１０５に転送するものとする。映像データ入力部１０５は、ＤＶＤドライブ１０４より転送された映像データを入力データ格納部１０６に転送する。入力データ格納部１０６は、映像データ入力部１０６より入力された映像データを格納するメモリバッファである。映像データ解析部１０７は、再生制御部１０２より受けた再生制御命令に従って，入力データ格納部１０６に格納された映像データを解析し、その解析内容を映像データ復号化部１０８へ通知する一方、映像データのエラーの有無も解析し、エラーを検知した場合は、この検知したエラー情報とそのときの再生状態をエラー表示追加部１１０に通知する。
【００２６】
ここで、映像データ解析部１０７のエラー検知方法を図６に示す。図６において、６０１から６０６は、処理のステップを表す。ステップ６０１においてまず、ピクチャー単位でデータを解析して、そのピクチャーを構成する全マクロブロックの情報を取得する。このとき、ＤＶＤドライブ１０４で訂正エラーが発生した場合、１６論理ブロック単位で全て０のデータが格納されているので、訂正エラー区間では、Pack_start_code１１１の値が0となり、この訂正エラー区間内のマクロブロックは、全てエラーと判断することができる。ステップ６０２において、それまでに保持している解析済みのピクチャー情報から、今回解析したピクチャーが参照するピクチャーがあるかどうかを判断する。参照するピクチャーが存在する場合は、ステップ６０３にて、参照するマクロブロックの状態を、今回解析したピクチャー内のマクロブロックの状態に反映させる。例えば、参照しているマクロブロックの状態がエラーであれば、今回解析したマクロブロックの状態はエラーとなる。その結果も踏まえて、今回解析したピクチャー内に一つもエラーのマクロブロックを含まない場合は、ステップ６０１に戻り、次のピクチャーに対して処理を続ける。一方、エラーを含む場合は、ステップ６０５おいて、解析したピクチャー情報を保持し、ステップ６０６において、解析した結果をエラー情報としてエラー表示追加部１１０へ通知する。そして、ステップ６０１に戻り、次のピクチャーに対して処理を続ける。
【００２７】
次に、映像データ復号化部１０８は、映像データ解析部１０７より送られた解析内容に従って，入力データ格納部１０６に格納された映像データを復号化し、復号化された映像データを出力データ格納部１０９に転送するとともに、映像フレームが復号化されたタイミングで、複合化されたフレームやその格納位置といった情報をエラー表示追加部１１０に通知する。出力データ格納部１０９は、映像データ復号化部１０８で復号化された映像データを映像フレーム単位で管理、格納するメモリバッファである。エラー表示追加部１１０は、映像データ解析部１０７より通知されたエラー情報を元にして、出力データ格納部１０９に格納されている復号済みデータに対して、エラーが含まれていることを示すエラー表示のデータを追加・変更する。映像信号出力部１１１は、出力データ格納部１０９に格納されている映像フレームデータを映像信号化してモニター１１２に出力する。モニター１１２は、映像信号出力部１１１より出力された映像信号を表示する。画面位置入力部１１３は、診断者が指定した表示画面上の座標情報を指定範囲特定部１１４に通知する。本実施例では、この画面位置入力部１１３をタッチパネル式モニターのタッチパネル部とし、モニター１１２と一体化したタッチパネル式モニターを使用する。このタッチパネル式モニターを使用した範囲指定の方法は、診断者が指定する範囲を示す長方形の対角の２頂点の位置を、表示画面上に触れて入力する。指定範囲特定部１１４は、画面位置入力部１１３より２点の座標情報が入力されると、その２点を対角の２頂点とする長方形の範囲を求め、その範囲の情報を映像データ解析部１０７に通知する。通知を受けた映像データ解析部１０７は、通知された指定範囲に一部でも含まれるマクロブロックを抽出し、そのマクロブロックを範囲指定内マクロブロックとしてエラー表示追加部１１０に通知する。
【００２８】
ここで、エラー表示追加部１１０について説明する。図７は、エラー表示判定方法を示した図であり、図７において、７０１から７０５は、処理のステップを表す。この図７で示される処理ステップは、映像データ復号化部１０８より通知される映像フレーム復号化のタイミングで実施される。ステップ７０１おいてまず、その時点で映像データ解析部１０７よりエラー情報の通知を受けていれば、そのエラー情報を元に、映像データ復号化部１０８より通知された複合化された映像フレームがエラーの影響を受けるかどうかを判断する。その結果、エラーの影響を受けていない場合は終了する。この場合、エラーを含まない正常な画像が表示されることになる。一方、エラーの影響を受けていると判断した場合は、ステップ７０３において、映像データ解析部から通知される情報によって、エラー表示の仕方を変える。例えば、通常再生時の場合、ステップ７０４において、エラーが含むことを示す警告メッセージを画面の所定位置に表示するためのデータを、出力データ格納部１０９に格納されている復号済みデータに反映させる。一方、一時停止やスロー再生状態で且つ範囲指定が通知されている場合、ステップ７０５において、表示している映像フレームのエラー情報を元に、エラーを検知したマクロブロックを取得し、取得したマクロブロックの中から、範囲指定内マクロブロックのみを所定の色に変更するように、出力データ格納部１０９に格納されているデータに反映させる。一時停止時には、同じ映像フレームを表示し続けるため、所定の色の部分を一定時間間隔で変更することで点滅表示となる。
【００２９】
次に、映像信号出力部１１１は、出力データ格納部１０９に格納されている復号済みデータを映像信号化し、映像信号ケーブルを通してモニター１１２に出力する。
【００３０】
以上が、本実施の形態の構成である。
【００３１】
次に、本実施の形態を使用したエラー表示の適用例を図８、図９を用いて説明する。
【００３２】
まず図８において、８０１は、データ入力格納部１０６に格納されている映像データのピクチャー順序を示しており、８０１に示されるP10のみエラーを含む。８０２は、表示するピクチャーの順序を示しており、P10に関連する参照関係を矢印で示している。８０３は、そのP10内のエラー区間をマクロブロック単位で表したものであり、８０４で示す斜線の部分が、エラーのマクロブロックである。映像データ解析部１０７では、ステップ６０１において、P10のマクロブロック８０４がエラーとなる。
【００３３】
そして、P10が参照するP7では、エラーが検出されていないため、そのP7のピクチャー情報は保持されていない。よって、ステップ６０５で保持されるP10のピクチャー情報は、８０３で示すマクロブロックの状態となり、その情報がエラー情報として、エラー表示追加部１１０に通知される。続いて、ステップ７０１に戻り、B11を解析する。B11は、エラーを含まず、順方向に参照するP7のピクチャー情報も保持されていないが、逆方向に参照するP10のピクチャー情報が保持されているため、ステップ６０３において、B11が参照するP10内のマクロブロックの状態を反映する。
【００３４】
このとき、参照するP10内のマクロブロックの位置は、B11内の各マクロブロックの動きベクトルに記載されているため、P10と同じ位置のマクロブロックがエラーになるとは限らない。この反映したマクロブロックの状態がエラー情報として、エラー表示追加部１１０に通知される。続く、B12、P13、B14、B15も同様に、ステップ６０３にて、参照するP10内のマクロブロックの状態を反映し、エラー情報として、エラー表示追加部１１０に通知される。次のGOPのI1は、他のピクチャーを参照しないため、エラーを含まないことになるので、エラー情報は生成されない。そして、次のGOPがオープンGOPの場合、続くB2、B3は、エラーを含む前のGOPのP13を参照することになるため、ステップ６０３にて、参照するP13内のマクロブロックの状態を反映し、エラー情報として、エラー表示追加部１１０に通知される。その結果が、８０２で示すように、B11から次のGOPのB3までの８映像フレーム間で、エラーを検知することになる。
【００３５】
次に、エラー情報を受け取ったエラー表示追加部１１０が、内視鏡の撮影映像にエラー表示を追加して表示した画面を図９に示す。図９において、画面９０１が、P10を通常再生または範囲指定の無い場合の表示画面であり、９０２は、エラーが含むことを示す警告メッセージを示す。このように、再生画面にエラーが含まれているかどうかをメッセージで表示することで、診断者は、画面９０１を見て、この画面上にエラーが含まれていることを容易に認識でき、他のエラーを含まない画像で診断できるのであれば、エラーを含む画面をできるだけ診断に用いないようにすることができる。
【００３６】
また、診断者が、例えば、一時停止で表示されている画面９０１の９０３の部分に疑いを持ち、その部分にエラーが含まれるかどうかを知りたい場合は、診断者が、ポイント９０４、ポイント９０５の２点に触れることで、画面９０７の表示に切り替わる。画面９０５の９０６はエラーの全マクロブロックの位置を示めしている。画面９０７の９０９は、ポイント９０４とポイント９０５の２点の座標位置を対角の頂点とする長方形の範囲に一部でも含まれるマクロブロックの範囲の境界を示し、９１０で示す範囲が、境界９０８内でエラーの影響があるマクロブロックの点滅表示部である。このように、診断者が指定した範囲内において、エラーのマクロブロックを点滅表示することで、診断者は、部分９０３がエラーの範囲に含まれることが容易に認識でき、部分９０３で診断することが誤診の恐れがあると判断できる。
【００３７】
以上のように、本実施の形態においては、復号化前の映像データを映像データ解析部１０７で解析してエラーを検出し、そのエラー情報を元に、そのエラーが検出された映像フレームに対してエラー表示追加部１１０でメッセージ表示を追加することで、表示されている画像にエラーが入っているかどうかが容易に認識できる。また、タッチパネル式モニター等を使用して、表示映像の一部を範囲指定した場合、エラー表示追加部１１０で、指定された範囲内でエラーが検出されたマクロブロックを所定の色で点滅表示させることで、表示画面上の指定範囲部分にエラーが含まれるかどうか、さらには、表示のどの部分がエラーかどうかを容易に識別することができ、診断者は、エラーを含まない映像のみを見て診断することで、エラーを含む映像による誤診を防止することができる。
【００３８】
また、本実施の形態では、指定範囲特定部１１４で２点を対角の２頂点とする長方形の範囲を指定範囲と特定したが、図１０で示すように、診断者すなわち医師が、指定部分を任意の曲線で囲むように指定できるようにし、画面位置入力部１１３より通知された一連の座標位置で囲まれる領域を指定範囲としてもよい。図１０において、１００２が診断者によって囲むように指定した境界線で、１００４が、指定された領域内に含まれるエラーのマクロブロックの点滅部である。
【００３９】
このように表示画面に対して、マウス等のデバイスを用いて、診断したい特定の箇所を円形の任意の曲線で囲む指定方法は、医師が、特に表示システムに精通していなくとも、直感的に指定しやすい方法であり、患者側もその表示画面を見て説明を理解しやすい。
【００４０】
また、このような診断画像は、診たい箇所が、表示装置の画面に対して、動的に変化するということが少ないため、画像認識などの複雑な手段を導入しなくても、指定位置を表示画面の座標軸に対して固定的に指定することも可能である。
【００４１】
また、エラー表示追加部１１０より表示されるエラー表示は、所定以上のフレーム数に渡って連続してエラーが発生した場合にエラー表示を行うようにしても良い。このようにすることで、特に動画再生の場合は、エラー表示が再生の邪魔になることを避けることも可能となる。
また、本実施の形態では、画面位置入力部１１３をタッチパネル式モニターのタッチパネル部としたが、パーソナルコンピュータで使用されるマウスのようなポインティングデバイスであっても構わない。
【産業上の利用可能性】
【００４２】
以上のように本発明は、エラーがある映像情報を補正しないで表示し、エラーが発生している映像箇所を、視聴者が容易に認識できるように通知することができるので、映像データによって正確な判断ができるようにものである。
したがって、映像による診断等の映像データに正確性が求められる医療用の映像再生装置への適用が大いに期待されるものである。
【図面の簡単な説明】
【００４３】
【図１】本発明の実施の形態における映像再生装置を使用した構成図
【図２】VR規格におけるVOBの構成図
【図３】Video Dataの階層構造図
【図４】GOP層を構成するピクチャーとその関連図
【図５】復号化するピクチャーの順序と表示画面の順序を示す図
【図６】エラー検知方法のフローチャート
【図７】エラーを検知したピクチャーとその関連図
【図８】エラー表示判定方法のフローチャート
【図９】エラー表示画面例の図
【図１０】別の形態におけるエラー表示画面例の図
【符号の説明】
【００４４】
１０１  再生操作入力部
１０２  再生制御部
１０３  ＤＶＤディスク
１０４  ＤＶＤドライブ
１０５  映像データ入力部
１０６  入力データ格納部
１０７  映像データ解析部
１０８  映像データ復号化部
１０９  出力データ格納部
１１０  エラー表示追加部
１１１  映像信号出力部
１１２  モニター
１１３  画面位置入力部
１１４  指定範囲特定部
【図１】
2010225234.tif 000003
【図２】
2010225234.tif 000004
【図３】
2010225234.tif 000005
【図４】
2010225234.tif 000006
【図５】
2010225234.tif 000007
【図６】
2010225234.tif 000008
【図７】
2010225234.tif 000009
【図８】
2010225234.tif 000010
【図９】
2010225234.tif 000011
【図１０】
2010225234.tif 000012